(57)【要約】【目的】  本発明の目的は、係合部の挿入穴からの不用意な抜けを抑止でき且つ所定以上の荷重が係合部にかかったとき、係合部と挿入穴との係合の解除を容易に行える係合部とハウジングとの係合構造を提供することにある。【構成】  係合機構Ｅの係合部３００は、本体３１０の第１、第２端部３２１、３２２と、第１、第２係合突部３３０、３４０とを有する。第１、第２係合突部３３０、３４０は第１、第２端部３２１、３２２に設けられ、所定以上の荷重が加わることにより弾性変形可能である。係合機構Ｅのハウジング１００は、挿入穴１００ａの第１、第２内壁１１０ａ、１２０ａを有する。第１、第２内壁１１０ａ、１２０ａは、係合部３００が挿入穴１００ａに挿脱されるときに第１、第２係合突部３３０、３４０を押圧可能である。第１、第２内壁１１０ａ、１２０ａは、第１、第２係合突部３３０、３４０を係合可能な第１、第２係合穴１１１ａ、１２１ａを有する。【選択図】      図２Ｂ
2014214781.tif 000002
【特許請求の範囲】
【請求項１】
係合部と、
ハウジングとを備えており、
前記係合部は、第１方向に延びた本体と、
前記本体の前記第１方向に交差する第２方向の一方側の第１端部と、
前記本体の前記第２方向の他方側の第２端部と、
前記第１端部に設けられており且つ所定以上の荷重が加わることによって弾性変形可能な弾性体である第１係合突部と、
前記第２端部に設けられており且つ所定以上の荷重が加わることによって弾性変形可能な弾性体である第２係合突部とを有しており、
前記ハウジングは、前記係合部が前記第１方向に挿脱可能な挿入穴と、
前記挿入穴の前記第２方向の一方側の内壁であって、前記係合部が前記挿入穴に挿脱されるときに前記第１係合突部を押圧可能な第１内壁と、
前記挿入穴の前記第２方向の他方側の内壁であって、前記係合部が前記挿入穴に挿脱されるときに前記第２係合突部を押圧可能な第２内壁とを有しており、
前記第１内壁は、前記第１係合突部を係合可能な第１係合穴を有し、
前記第２内壁は、前記第２係合突部を係合可能な第２係合穴を有している
係合部とハウジングとの係合構造。
【請求項２】
請求項１記載の係合部とハウジングとの係合構造において、
前記第２係合突部は、その少なくとも一部が前記第１係合突部よりも前記本体の後端側に位置するように、前記第２端部に設けられており、
前記第２係合穴は、その少なくとも一部が前記第１係合穴よりも前記挿入穴の開口側に位置するように、前記第２内壁に設けられており、
前記第１内壁は、当該第１内壁の前記第１係合穴よりも前記開口側の部分に設けられており且つ前記係合部が前記挿入穴に挿脱されるときに前記第１係合突部が挿入可能な第１逃げ穴と、
当該第１内壁の前記第１係合穴と前記第１逃げ穴との間に設けられており且つ前記係合部が前記挿入穴に挿脱されるときに前記第１係合突部を押圧可能な第１突起とを更に有している
係合部とハウジングとの係合構造。
【請求項３】
請求項２記載の係合部とハウジングとの係合構造において、
前記第１係合突部が前記第１内壁の前記第１逃げ穴に挿入されるとき、前記第２係合突部が前記第２内壁に押圧されない
係合部とハウジングとの係合構造。
【請求項４】
請求項２〜３の何れかに記載の係合部とハウジングとの係合構造において、
前記第１内壁は、当該第１内壁の前記第１逃げ穴よりも前記開口側の部分に設けられた第１段部を更に有しており、
前記第２内壁は、当該第２内壁の前記第２係合穴よりも前記開口側の部分に設けられており且つ前記係合部が前記挿入穴に挿脱されるときに前記第２係合突部を押圧可能な第２段部を更に有しており、
前記本体は、前記第１、第２端部および前記第１、第２係合突部を有する前部と、
前記前部よりも前記第２方向の寸法が大きい後部とを有しており、
前記第１、第２係合突部が前記第１、第２係合穴に係合されたとき、前記後部が前記第１、第２段部の間で挟持される
係合部とハウジングとの係合構造。
【請求項５】
請求項２〜３の何れかに記載の係合部とハウジングとの係合構造において、
前記第１内壁は、当該第１内壁の前記第１逃げ穴よりも前記開口側の部分に設けられた第１段部を更に有しており、
前記第２内壁は、当該第２内壁の前記第２係合穴よりも前記開口側の部分に設けられており且つ前記係合部が前記挿入穴に挿脱されるときに前記第２係合突部が挿入可能な第２逃げ穴と、
当該第２内壁の前記第２係合穴と前記第２逃げ穴との間に設けられており且つ前記係合部が前記挿入穴に挿脱されるときに前記第２係合突部を押圧可能な第２突起とを更に有しており、
前記第１、第２係合突部が前記第１、第２係合穴に係合されたとき、前記本体が前記第１内壁の第１突起および前記第１段部と、前記第２内壁の第２突起との間で挟持される
係合部とハウジングとの係合構造。
【請求項６】
請求項１〜５の何れかに記載の係合部とハウジングとの係合構造において、
前記第１係合突部には、前記第１方向の一方の方向および前記第２方向の他方の方向の成分を含む方向に漸次下り傾斜した第１テーパー面が設けられており、
前記第２係合突部には、前記第１方向の一方の方向および前記第２方向の一方の方向の成分を含む方向に漸次下り傾斜した第２テーパー面が設けられている
係合部とハウジングとの係合構造。
【請求項７】
請求項１〜５の何れかに記載の係合部とハウジングとの係合構造において、
前記第１係合突部には、前記第１方向の一方の方向および前記第２方向の他方の方向の成分を含む方向に漸次下り傾斜した第１テーパー面が設けられており、
前記第２係合突部および前記第２端部の先端部には、前記第１方向の一方の方向および前記第２方向の一方の方向の成分を含む方向に漸次下り傾斜した第２テーパー面が設けられている
係合部とハウジングとの係合構造。
【請求項８】
請求項２〜５の何れかに記載の係合部とハウジングとの係合構造において、
前記第１内壁の前記第１突起の前記第１方向の他方側の端部には、前記第１方向の他方の方向および前記第２方向の一方の方向の成分を含む方向に下り傾斜した傾斜面が設けられている
係合部とハウジングとの係合構造。
【請求項９】
請求項６記載の係合部とハウジングとの係合構造において、
前記第２内壁の前記第２突起の前記第１方向の他方側の端部には、前記第１方向の他方の方向および前記第２方向の他方の方向の成分を含む方向に下り傾斜した傾斜面が設けられている
係合部とハウジングとの係合構造。
【請求項１０】
請求項１〜９の何れかに記載の係合部とハウジングとの係合構造において、
前記係合部は、前記本体の前記第１方向および前記第２方向に交差する第３方向の一方側の第３端部と、
前記本体の前記第３方向の他方側の第４端部と、
前記第３端部に設けられており且つ所定以上の荷重が加わることによって弾性変形可能な弾性体である第３係合突部と、
前記第４端部に設けられており且つ所定以上の荷重が加わることによって弾性変形可能な弾性体である第４係合突部とを更に有しており、
前記ハウジングは、前記挿入穴の前記第３方向の一方側の内壁であって、前記係合部が前記挿入穴に挿脱されるときに前記第３係合突部を押圧可能な第３内壁と、
前記挿入穴の前記第３方向の他方側の内壁であって、前記係合部が前記挿入穴に挿脱されるときに前記第４係合突部を押圧可能な第４内壁とを更に有しており、
前記第３内壁は、前記第３係合突部を係合可能な第３係合穴を有し、
前記第４内壁は、前記第４係合突部を係合可能な第４係合穴を有している
係合部とハウジングとの係合構造。
【請求項１１】
請求項１０記載の係合部とハウジングとの係合構造において、
前記第４係合突部は、その少なくとも一部が前記第３係合突部よりも前記本体の後端側に位置するように、前記第４端部に設けられており、
前記第４係合穴は、その少なくとも一部が前記第３係合穴よりも前記挿入穴の開口側に位置するように、前記第４内壁に設けられており、
前記第３内壁は、当該第３内壁の前記第３係合穴よりも前記開口側の部分に設けられており且つ前記係合部が前記挿入穴に挿脱されるときに前記第３係合突部が挿入可能な第３逃げ穴と、
当該第３内壁の前記第３係合穴と前記第３逃げ穴との間に設けられており且つ前記係合部が前記挿入穴に挿脱されるときに前記第３係合突部を押圧可能な第３突起とを更に有している
係合部とハウジングとの係合構造。
【請求項１２】
請求項１０〜１１の何れかに記載の係合部とハウジングとの係合構造において、
前記第３係合突部には、前記第１方向の一方の方向および前記第３方向の他方の方向の成分を含む方向に漸次下り傾斜した第３テーパー面が設けられており、
前記第４係合突部には、前記第１方向の一方の方向および前記第３方向の一方の方向の成分を含む方向に漸次下り傾斜した第４テーパー面が設けられている
係合部とハウジングとの係合構造。
【請求項１３】
請求項１１記載の係合部とハウジングとの係合構造において、
前記第３内壁の前記第３突起の前記第１方向の他方側の端部には、前記第１方向の他方の方向および前記第３方向の一方の方向の成分を含む方向に下り傾斜した傾斜面が設けられている
係合部とハウジングとの係合構造。
【請求項１４】
請求項１〜１３の何れかに記載の係合部とハウジングとの係合構造において、
前記本体は、前記第１、第２係合突部と同じ弾性体である
係合部とハウジングとの係合構造。
【請求項１５】
請求項１〜１４の何れかに記載の係合部とハウジングとの係合構造と、
電子部品と、
カバーとを備えており、
前記電子部品は、前記ハウジングの前記挿入穴の隣に設けられた収容穴に収容されており、
前記カバーは前記係合部の前記本体の後端に設けられており且つ前記係合部の前記第１係合突部が前記第１内壁の前記第１係合穴に係合され且つ当該係合部の前記第２係合突部が前記第２内壁の前記第２係合穴に係合されたとき、前記収容穴を閉塞する電子機器。
【発明の詳細な説明】
【技術分野】
【０００１】
本発明は、係合部とハウジングとの係合構造および電子機器に関する。
【背景技術】
【０００２】
この種の電子機器としては下記特許文献１（図７〜図１０参照）に記載されたものがある。この電子機器は、ハウジングと、コネクタと、カバーと、舌片状の係合部とを備えている。係合部はカバーの内面に突設されている。係合部には、その厚み方向に貫通した係合孔が設けられている。ハウジングには、係合部が挿脱可能な挿入穴と、コネクタを収容する収容穴とが設けられている。ハウジングの挿入穴の内壁には、係合突部が設けられている。係合部がハウジングの挿入穴に挿入されると、係合部が係合突部を乗り越え、当該係合突部が当該係合部の係合孔に係合されると共に、カバーが収容穴を閉塞し、コネクタを覆う。また、係合部が挿入穴から引き抜かれると、当該係合部の係合穴と係合突部との係合が解除され、カバーの収容穴に対する閉塞が解除される。これにより、コネクタにプラグ等が接続可能となる。
【先行技術文献】
【特許文献】
【０００３】
【特許文献１】特開２００４−１６５８５１号公報
【発明の概要】
【発明が解決しようとする課題】
【０００４】
係合突部の挿入穴の開口側の端部には、当該挿入穴の奥側に上り傾斜したテーパー面が設けられている。このため、係合部がハウジングの挿入穴に挿入されるときには、係合部がテーパー面に沿って係合突部を乗り越え、当該係合突部が当該係合部の係合孔に係合されるので、ハウジングの係合突部を係合部の係合孔に容易に係合させることができる。一方、係合突部の挿入穴の奥側の端部は、挿入穴の内壁に対して垂直であるため、ハウジングの係合突部が係合部の係合孔に係合された状態が、解除され難い。よって、係合部の挿入穴からの不用意な抜けが好適に抑止されるものの、カバーの収容穴に対する閉塞を解除する必要があるときに、係合部を挿入穴から引き抜くことが困難であった。
【０００５】
本発明は、上記事情に鑑みて創案されたものであって、その目的とするところは、係合部のハウジングの挿入穴からの不用意な抜けを好適に抑止できると共に、所定以上の荷重（引き抜きの力）が係合部にかかったとき、係合部とハウジングの挿入穴との係合の解除を容易に行うことができる係合部とハウジングとの係合構造および電子機器を提供することにある。
【課題を解決するための手段】
【０００６】
上記課題を解決するために、本発明の係合部とハウジングとの係合構造は、係合部と、ハウジングとを備えている。前記係合部は、本体と、第１、第２端部と、第１、第２係合突部とを有している。前記本体は第１方向に延びている。前記第１端部は前記本体の前記第１方向に交差する第２方向の一方側の端部である。前記第２端部は前記本体の前記第２方向の他方側の端部である。前記第１係合突部は前記第１端部に設けられており且つ所定以上の荷重が加わることによって弾性変形可能な弾性体である。前記第２係合突部は、前記第２端部に設けられており且つ所定以上の荷重が加わることによって弾性変形可能な弾性体である。前記ハウジングは、挿入穴と、第１内壁と、第２内壁とを有している。前記挿入穴には前記係合部が前記第１方向に挿脱可能である。前記第１内壁は前記挿入穴の前記第２方向の一方側の内壁であって、前記係合部が前記挿入穴に挿脱されるときに前記第１係合突部を押圧可能である。前記第２内壁は、前記挿入穴の前記第２方向の他方側の内壁であって、前記係合部が前記挿入穴に挿脱されるときに前記第２係合突部を押圧可能である。前記第１内壁は、前記第１係合突部を係合可能な第１係合穴を有している。前記第２内壁は、前記第２係合突部を係合可能な第２係合穴を有している。
【０００７】
このような態様の係合構造による場合、係合部が挿入穴に挿入されるときに、第１係合突部が第１内壁に上記荷重で押圧されると、第１係合突部が弾性変形し、当該第１内壁の第１係合穴に係合される一方、第２係合突部が第２内壁に上記荷重で押圧されると、第２係合突部が弾性変形し、当該第２内壁の第２係合穴に係合される。第１、第２係合突部が第１、第２係合穴に係合された状態で、当該第１、第２係合突部に第１、第２内壁によって所定以上の荷重が加えられない限り、当該第１、第２係合突部は弾性変形せず、第１、第２係合突部と第１、第２係合穴と係合が維持される。よって、前記係合構造は係合部のハウジングの挿入穴からの不用意な抜けを好適に抑止できる。また、係合部が挿入穴から抜かれるときに、第１係合突部が第１内壁に上記荷重で押圧されると、第１係合突部が弾性変形し、当該第１係合穴との係合が解除される一方、第２係合突部が第２内壁に上記荷重で押圧されると、第２係合突部が弾性変形し、当該第２係合穴との係合が解除される。このように第１、第２係合突部が第１、第２係合穴に係合された状態で、当該第１、第２係合突部に第１、第２内壁によって所定以上の荷重が加えられることによって、当該第１、第２係合突部が弾性変形し、第１、第２係合突部と第１、第２係合穴との係合が解除される。よって、前記係合構造は、所定以上の荷重（引き抜きの力）が係合部にかかったとき、係合部とハウジングの挿入穴との係合の解除を容易に行うことができる。
【０００８】
前記第２係合突部は、その少なくとも一部が前記第１係合突部よりも前記本体の後端側に位置するように、前記第２端部に設けられた構成とすることが可能である。前記第２係合穴は、その少なくとも一部が前記第１係合穴よりも前記挿入穴の開口側に位置するように、前記第２内壁に設けられた構成とすることが可能である。前記第１内壁は、第１逃げ穴と、第１突起とを更に有する構成とすることが可能である。前記第１逃げ穴は、当該第１内壁の前記第１係合穴よりも前記開口側の部分に設けられた構成とすることが可能である。前記第１逃げ穴には、前記係合部が前記挿入穴に挿脱されるときに、前記第１係合突部が挿入可能な構成とすることが可能である。前記第１突起は、前記第１内壁の前記第１係合穴と前記第１逃げ穴との間に設けられており且つ前記係合部が前記挿入穴に挿脱されるときに前記第１係合突部を押圧可能な構成とすることが可能である。
【０００９】
このような態様の係合構造による場合、係合部が挿入穴に挿入されるときに、第１係合突部が第１内壁の第１逃げ穴に挿入され、第２係合突部が第２内壁に上記荷重で押圧されると、第２係合突部が弾性変形し、当該第２内壁の第２係合穴に係合される一方、第１係合突部が第１内壁の第１突起に上記荷重で押圧されると、第１係合突部が弾性変形し、当該第１内壁の第１係合穴に係合される。また、係合部が挿入穴から抜かれるときに、第１係合突部が第１突起に上記荷重で押圧されると、第１係合突部が弾性変形し、当該第１突起を乗り越え（当該第１係合穴との係合が解除され）、第１内壁の第１逃げ穴に挿入される一方、第２係合突部が第２内壁に上記荷重で押圧されると、第２係合突部が弾性変形し、当該第２係合穴との係合が解除される。係合部の挿入時においては、第１係合突部が第１逃げ穴に挿入され、第１内壁の第１突起を乗り越えることによって、第１係合穴に係合されるので、係合部が挿入穴に挿入されるときに、第１係合突部が第１内壁に押圧される距離が短くなる。しかも、第２係合穴が、その少なくとも一部が前記第１係合穴よりも前記挿入穴の開口側に位置しているため、第１係合穴の縁部と第２係合穴の縁部との間の距離が大きくなる。また、第２係合突部は、その少なくとも一部が第１係合突部よりも前記本体の後端側に位置しているため、第２係合突部の前記一部以外の部分、本体および第１係合突部の第２方向の寸法が低減される。よって、係合部とハウジングの挿入穴との係合を容易に行うことができる。係合部の引き抜き時においては、第１係合突部が第１内壁の第１突起を乗り越えると、第１逃げ穴に挿入されるので、係合部が挿入穴から引き抜かれるときに、第１係合突部が第１内壁に押圧される距離が短くなる。また、上述の通り第１係合穴の縁部と第２係合穴の縁部との間の距離が大きく且つ第２係合突部の前記一部以外の部分、本体および第１係合突部の第２方向の寸法が低減されている。よって、係合部をハウジングの挿入穴から引き抜き易くなる。
【００１０】
前記第１係合突部が前記第１内壁の前記第１逃げ穴に挿入されるとき、前記第２係合突部が、前記第２内壁に押圧されない構成とすることが可能である。
【００１１】
このような態様の係合構造による場合、前記第１係合突部が当該第１逃げ穴に挿入されたときに、前記第２係合突部が前記第２内壁に押圧されないので、係合部の挿脱時に、第１係合突部が第１内壁の前記第１突起に押圧され且つ第２係合突部が前記第２内壁に押圧される距離が短くなる。よって、係合部とハウジングの挿入穴との係合を容易に行うことができると共に、係合部をハウジングの挿入穴から引き抜き易くなる。
【００１２】
前記第１内壁は、第１段部を更に有する構成とすることが可能である。前記第１段部は、前記第１内壁の前記第１逃げ穴よりも前記開口側の部分に設けられた構成とすることが可能である。前記第２内壁は、第２段部を更に有する構成とすることが可能である。前記第２段部は、前記第２内壁の前記第２係合穴よりも前記開口側の部分に設けられており且つ前記係合部が前記挿入穴に挿脱されるときに前記第２係合突部を押圧可能な構成とすることが可能である。前記本体は、前部と、後部とを有する構成とすることが可能である。前記前部は、前記第１、第２端部および前記第１、第２係合突部を有する構成とすることが可能である。前記後部は、前記前部よりも前記第２方向の寸法が大きい構成とすることが可能である。前記第１、第２係合突部が前記第１、第２係合穴に係合されたとき、前記後部が前記第１、第２段部の間で挟持される構成とすることが可能である。
【００１３】
このような態様の係合構造による場合、係合部の後部が第１、第２段部の間で挟持されることによって、第１、第２係合突部が第１、第２係合穴に係合された状態が安定する。
【００１４】
或いは、前記第１内壁は、第１段部を更に有する構成とすることが可能である。前記第１段部は、前記第１内壁の前記第１逃げ穴よりも前記開口側の部分に設けられた構成とすることが可能である。前記第２内壁は、第２逃げ穴と、第２突起とを更に有する構成とすることが可能である。前記第２逃げ穴は、前記第２内壁の前記第２係合穴よりも前記開口側の部分に設けられており且つ前記係合部が前記挿入穴に挿脱されるときに前記第２係合突部が挿入可能な構成とすることが可能である。前記第２突起は、前記第２内壁の前記第２係合穴と前記第２逃げ穴との間に設けられており且つ前記係合部が前記挿入穴に挿脱されるときに前記第２係合突部を押圧可能な構成とすることが可能である。前記第１、第２係合突部が前記第１、第２係合穴に係合されたとき、前記本体が前記第１内壁の第１突起および前記第１段部と、前記第２内壁の第２突起との間で挟持される構成とすることが可能である。
【００１５】
このような態様の係合構造による場合、係合部の本体が、第１内壁の第１突起および第１段部と、第２内壁の第２突起との間で挟持されることによって、第１、第２係合突部が第１、第２係合穴に係合された状態が安定する。
【００１６】
前記第１係合突部には、第１テーパー面が設けられた構成とすることが可能である。前記第１テーパー面は、前記第１方向の一方の方向および前記第２方向の他方の方向の成分を含む方向に漸次下り傾斜した構成とすることが可能である。前記第２係合突部には、第２テーパー面が設けられた構成とすることが可能である。前記第２テーパー面は、前記第１方向の一方の方向および前記第２方向の一方の方向の成分を含む方向に漸次下り傾斜した構成とすることが可能である。このような態様の係合構造による場合、係合部の挿入時に、第１、第２テーパー面によって、第１、第２係合突部が第１、第２内壁に引っ掛かり難くなる。
【００１７】
前記第２テーパー面は、前記第２係合突部および前記第２端部の先端部に設けられた構成とすることが可能である。このような態様の係合構造による場合、係合部の挿入時に、第１、第２テーパー面によって、第１、第２係合突部が第１、第２内壁に引っ掛かり難くなる。
【００１８】
前記第１内壁の前記第１突起の前記第１方向の他方側の端部には、傾斜面が設けられた構成とすることが可能である。前記傾斜面は、前記第１方向の他方の方向および前記第２方向の一方の方向の成分を含む方向に下り傾斜した構成とすることが可能である。このような態様の係合構造による場合、係合部の挿入時に、傾斜面によって、第１係合突部が第１突起に引っ掛かり難くなる。
【００１９】
前記第２内壁の前記第２突起の前記第１方向の他方側の端部には、傾斜面が設けられた構成とすることが可能である。前記傾斜面は、前記第１方向の他方の方向および前記第２方向の他方の方向の成分を含む方向に下り傾斜した構成とすることが可能である。このような態様の係合構造による場合、係合部の挿入時に、傾斜面によって、第２係合突部が第２突起に引っ掛かり難くなる。
【００２０】
前記係合部は、第３、第４端部と、第３、第４係合突部とを更に有する構成とすることが可能である。前記第３端部は、前記本体の前記第１方向および前記第２方向に交差する第３方向の一方側の端部とすることが可能である。前記第４端部は、前記本体の前記第３方向の他方側の端部とすることが可能である。前記第３係合突部は、前記第３端部に設けられており且つ所定以上の荷重が加わることによって弾性変形可能な弾性体である構成とすることが可能である。前記第４係合突部は、前記第４端部に設けられており且つ所定以上の荷重が加わることによって弾性変形可能な弾性体である構成とすることが可能である。前記ハウジングは、第３、第４内壁を更に有する構成とすることが可能である。前記第３内壁は、前記挿入穴の前記第３方向の一方側の内壁であって、前記係合部が前記挿入穴に挿脱されるときに前記第３係合突部を押圧可能な構成とすることが可能である。前記第４内壁と、前記挿入穴の前記第３方向の他方側の内壁であって、前記係合部が前記挿入穴に挿脱されるときに前記第４係合突部を押圧可能な構成とすることが可能である。前記第３内壁は、前記第３係合突部を係合可能な第３係合穴を有する構成とすることが可能である。前記第４内壁は、前記第４係合突部を係合可能な第４係合穴を有する構成とすることが可能である。
【００２１】
このような態様の係合構造による場合、係合部が挿入穴に挿入されるときに、第３係合突部が第３内壁に上記荷重で押圧されると、第３係合突部が弾性変形し、当該第３内壁の第３係合穴に係合される一方、第４係合突部が第４内壁に上記荷重で押圧されると、第４係合突部が弾性変形し、当該第４内壁の第４係合穴に係合される。第３、第４係合突部は上記荷重が加えられない限り、弾性変形しないので、第３、第４係合突部が第３、第４係合穴に係合された状態が維持される。よって、前記係合構造は係合部のハウジングの挿入穴からの不用意な抜けを更に好適に抑止できる。また、係合部が挿入穴から抜かれるときに、第３係合突部が第３内壁に上記荷重で押圧されると、第３係合突部が弾性変形し、当該第３係合穴との係合が解除される一方、第４係合突部が第４内壁に上記荷重で押圧されると、第４係合突部が弾性変形し、当該第４係合穴との係合が解除される。このように第３、第４係合突部が第３、第４係合穴に係合された状態で、当該第３、第４係合突部に第３、第４内壁によって所定以上の荷重が加えられることによって、当該第３、第４係合突部が弾性変形し、第３、第４係合突部と第３、第４係合穴との係合が解除される。よって、前記係合構造は、所定以上の荷重（引き抜きの力）が係合部にかかったとき、係合部とハウジングの挿入穴との係合の解除を容易に行うことができる。
【００２２】
前記第４係合突部は、その少なくとも一部が前記第３係合突部よりも前記本体の後端側に位置するように、前記第４端部に設けられた構成とすることが可能である。前記第４係合穴は、その少なくとも一部が前記第３係合穴よりも前記挿入穴の開口側に位置するように、前記第４内壁に設けられた構成とすることが可能である。前記第３内壁は、第３逃げ穴と、第３突起とを更に有する構成とすることが可能である。前記第３逃げ穴は、前記第３内壁の前記第３係合穴よりも前記開口側の部分に設けられており且つ前記係合部が前記挿入穴に挿脱されるときに前記第３係合突部が挿入可能な構成とすることが可能である。前記第３突起は、前記第３内壁の前記第３係合穴と前記第３逃げ穴との間に設けられており且つ前記係合部が前記挿入穴に挿脱されるときに前記第３係合突部を押圧可能な構成とすることが可能である。
【００２３】
このような態様の係合構造による場合、係合部が挿入穴に挿入されるときに、第３係合突部が第３内壁の第３逃げ穴に挿入され、第４係合突部が第４内壁に上記荷重で押圧されると、第４係合突部が弾性変形し、当該第４内壁の第４係合穴に係合される一方、第３係合突部が第３内壁の第３突起に上記荷重で押圧されると、第３係合突部が弾性変形し、当該第３内壁の第３係合穴に係合される。また、係合部が挿入穴から抜かれるときに、第３係合突部が第３突起に上記荷重で押圧されると、第３係合突部が弾性変形し、当該第３突起を乗り越え（当該第３係合穴との係合が解除され）、第３内壁の第３逃げ穴に挿入される一方、第４係合突部が第４内壁に上記荷重で押圧されると、第４係合突部が弾性変形し、当該第４係合穴との係合が解除される。係合部の挿入時においては、第３係合突部が第３逃げ穴に挿入され、第３内壁の第３突起を乗り越えることによって、第３係合穴に係合されるので、係合部が挿入穴に挿入されるときに、第３係合突部が第３内壁に押圧される距離が短くなる。しかも、第４係合穴が、その少なくとも一部が前記第４係合穴よりも前記挿入穴の開口側に位置しているため、第３係合穴の縁部と第４係合穴の縁部との間の距離が大きくなる。また、第４係合突部は、その少なくとも一部が第３係合突部よりも前記本体の後端側に位置しているため、第４係合突部の前記一部以外の部分、本体および第３係合突部の第２方向の寸法が低減される。よって、係合部とハウジングの挿入穴との係合を容易に行うことができる。係合部の引き抜き時においては、第３係合突部が第３内壁の第３突起を乗り越えると、第３逃げ穴に挿入されるので、係合部が挿入穴から引き抜かれるときに、第３係合突部が第３内壁に押圧される距離が短くなる。また、上述の通り第３係合穴の縁部と第４係合穴の縁部との間の距離が大きく且つ第４係合突部の前記一部以外の部分、本体および第３係合突部の第２方向の寸法が低減されている。よって、係合部をハウジングの挿入穴から引き抜き易くなる。
【００２４】
前記第３係合突部には、第３テーパー面が設けられた構成とすることが可能である。前記第３テーパー面は、前記第１方向の一方の方向および前記第３方向の他方の方向の成分を含む方向に漸次下り傾斜した構成とすることが可能である。前記第４係合突部には、第４テーパー面が設けられた構成とすることが可能である。前記第４テーパー面は、前記第１方向の一方の方向および前記第３方向の一方の方向の成分を含む方向に漸次下り傾斜した構成とすることが可能である。
【００２５】
このような態様の係合構造による場合、係合部の挿入時に、第３、第４テーパー面によって、第３、第４係合突部が第３、第４内壁に引っ掛かり難くなる。
【００２６】
前記第３内壁の前記第３突起の前記第１方向の他方側の端部には、傾斜面が設けられた構成とすることが可能である。前記傾斜面は、前記第１方向の他方の方向および前記第３方向の一方の方向の成分を含む方向に下り傾斜した構成とすることが可能である。このような態様の係合構造による場合、係合部の挿入時に、傾斜面によって、第３係合突部が第３突起に引っ掛かり難くなる。
【００２７】
前記本体は、前記第１、第２係合突部と同じ弾性体とすることが可能である。このような態様の係合構造による場合、本体および第１、第２係合突部を一体的に構成することが可能になるので、係合部の製造が容易になる。
【００２８】
本発明の電子機器は、上述した何れかの態様の係合構造と、電子部品と、カバーとを備えている。前記電子部品は、前記ハウジングの前記挿入穴の隣に設けられた収容穴に収容されている。前記カバーは前記係合部の前記本体の後端に設けられた構成とすることが可能である。当該カバーは、前記係合部の前記第１係合突部が前記第１内壁の前記第１係合穴に係合され且つ当該係合部の前記第２係合突部が前記第２内壁の前記第２係合穴に係合されたとき、前記収容穴を閉塞し得るようになっている。
【図面の簡単な説明】
【００２９】
【図１Ａ】本発明の実施例１に係る電子機器の正面、平面および右側面から表した斜視図であって、係合部およびカバーがハウジングから取り外された状態を示す図である。
【図１Ｂ】前記電子機器の正面、平面および右側面から表した斜視図であって、係合部およびカバーがハウジングに取り着けられた状態を示す図である。
【図２Ａ】前記電子機器の図１Ｂ中の２Ａ−２Ａ断面図である。
【図２Ｂ】前記電子機器の図１Ｂ中の２Ｂ−２Ｂ断面図である。
【図３Ａ】前記電子機器の係合部およびカバーの正面、平面および右側面から表した斜視図である。
【図３Ｂ】前記電子機器の係合部およびカバーの正面、底面および左側面から表した斜視図である。
【図４】前記電子機器の図２Ｂに対応する概略的断面図であって、係合部をハウジングの挿入穴に挿入する過程を示す図である。
【図５Ａ】本発明の実施例２に係る電子機器の正面、平面および右側面から表した部分斜視図であって、係合部およびカバーがハウジングから取り外された状態を示す図である。
【図５Ｂ】前記電子機器の正面、平面および右側面から表した部分斜視図であって、係合部およびカバーがハウジングに取り付けられた状態を示す図である。
【図６Ａ】前記電子機器の図５Ｂ中の６Ａ−６Ａ断面図である。
【図６Ｂ】前記電子機器の図５Ｂ中の６Ｂ−６Ｂ断面図である。
【図７】前記電子機器の係合部およびカバーの正面、平面および右側面から表した部分斜視図である。
【図８Ａ】前記電子機器の図６Ａに対応する概略的断面図であって、係合部をハウジングの挿入穴に挿入する過程を示す図である。
【図８Ｂ】前記電子機器の図６Ｂに対応する概略的断面図であって、係合部をハウジングの挿入穴に挿入する過程を示す図である。
【発明を実施するための形態】
【００３０】
以下、本発明の実施例１及び２について説明する。
【実施例１】
【００３１】
まず、本発明の実施例１に係る電子機器について図１Ａ〜図４を参照しつつ説明する。この電子機器は、図１Ａ〜図２Ｂに示すように、係合構造Ｅと、電子部品２００と、カバー４００とを備えている。係合構造Ｅは、ハウジング１００と係合部３００とを備えている。以下、前記電子機器の各構成要素について詳しく説明する。なお、図２Ａおよび図２Ｂに示すＹ１−Ｙ２は、係合部３００のハウジング１００の挿入穴１００ａに対する挿脱方向を示している。Ｙ１−Ｙ２方向は特許請求の範囲の第１方向に相当している。Ｙ１方向は、前記第１方向のうちの一方の方向であり且つ係合部３００のハウジング１００の挿入穴１００ａに対する挿入方向である。Ｙ２は、前記第１方向のうちの他方の方向であり且つ係合部３００のハウジング１００の挿入穴１００ａに対する脱方向である。図２Ｂに示すＺ１−Ｚ２は、係合部３００の高さ方向を示しており且つＹ１−Ｙ２方向に直角に交差している。Ｚ１−Ｚ２方向は特許請求の範囲の第２方向に相当している。Ｚ１方向は前記第２方向のうちの一方の方向であり、Ｚ２方向は前記第２方向のうちの他方の方向である。図２Ａに示すＸ１−Ｘ２は、係合部３００の幅方向を示しており且つＹ１−Ｙ２方向およびＺ１−Ｚ２方向に直角に交差している。Ｘ１−Ｘ２方向は特許請求の範囲の第３方向に相当している。Ｘ１方向は前記第３方向のうちの一方の方向であり、Ｘ２方向は前記第３方向のうちの他方の方向である。
【００３２】
ハウジング１００は、図１Ａに示すように、挿入穴１００ａと、収容穴１００ｂと、嵌合凹部１００ｃを有している。嵌合凹部１００ｃは、図１Ａおよび図２Ａに示すように、ハウジング１００の端面に設けられた略矩形状の凹部である。収容穴１００ｂは、嵌合凹部１００ｃの底面に設けられており且つハウジング１００の内部空間に連通した略矩形状穴である。収容穴１００ｂの内形は、電子部品２００の外形に対応した形状となっている。収容穴１００ｂに電子部品２００が嵌合している。本実施例１では、電子部品２００はコネクタである。電子部品２００としては、コネクタ以外に、イヤホンジャック、マイクロフォン、スピーカー、レシーバー、スイッチ等を用いることができる。挿入穴１００ａは、嵌合凹部１００ｃの底面の収容穴１００ｂの隣に設けられている。
【００３３】
カバー４００は、弾性素材（例えば、ウレタンゴム、シリコンゴム等）で構成されている。カバー４００は、図１Ａ〜図３Ｂに示すように、カバー本体４１０と、第１、第２突部４２０、４３０とを有している。カバー本体４１０は、前記弾性素材で構成された矩形状の板である。カバー本体４１０の外形は、ハウジング１００の嵌合凹部１００ｃの内形に対応した形状である。カバー本体４１０がハウジング１００の嵌合凹部１００ｃに嵌合可能である。第１突部４２０は、カバー本体４１０の内面に設けられた略矩形状の突部である。第１突部４２０の外形は、ハウジング１００の収容穴１００ｂの外形よりも小さい。第１突部４２０は、ハウジング１００の収容穴１００ｂに挿脱可能である。第２突部４３０の外形は電子部品２００の接続穴の内形よりも小さい。第１突部４２０の先端面上に設けられた略矩形状の突部である。第２突部４３０は電子部品２００の接続穴内に挿脱可能である。
【００３４】
係合部３００は、図１Ａおよび図２Ａ〜図３Ｂに示すように、カバー本体４１０の内面の第１、第２突部４２０、４３０の隣に設けられている。係合部３００は、弾性素材（例えば、ウレタンゴム、シリコンゴム等）で構成されている。係合部３００は、ハウジング１００の挿入穴１００ａにＹ１−Ｙ２方向に挿脱可能である。係合部３００は、本体３１０を有している。本体３１０は、前部３１１および後部３１２を有する弾性体（例えば、ウレタンゴム、シリコンゴム等）であって、Ｙ１−Ｙ２方向に延びている。後部３１２はカバー本体４１０の内面からＹ１方向に延びた略矩形状の板である。後部３１２のＺ１−Ｚ２方向（第２方向）の寸法が、前部３１１のＺ１−Ｚ２方向（第２方向）の寸法よりも大きい。
【００３５】
前部３１１は後部３１２からＹ１方向に延びた略矩形状の板である。前部３１１は、第１、第２端部３２１、３２２と、第１、第２係合突部３３０、３４０とを有している。第１端部３２１は、本体３１０の前部３１１のＺ１方向側（第２方向の一方側）の端部である。第２端部３２２は、本体３１０の前部３１１のＺ２方向側（第２方向の他方側）の端部である。
【００３６】
第１係合突部３３０は、図２Ｂ〜図３Ｂに示すように、第１端部３２１の先端部（Ｙ１方向の一方の端部）に一体的に設けられ且つＺ１方向に延びている。第１係合突部３３０は、所定の荷重が加えられることによって弾性変形可能な弾性体である。第１係合突部３３０は、本体３１０と同じ弾性素材で構成されている。第１係合突部３３０のＹ１方向側（第１方向の一方側）の端部には、第１テーパー面３３１が設けられている。第１テーパー面３３１は、Ｙ１方向（第１方向の一方の方向）およびＺ２方向（第２方向の他方の方向）の成分を含む方向に漸次下り傾斜している。
【００３７】
第２係合突部３４０は、図２Ｂ〜図３Ｂに示すように、当該第２係合突部３４０の一部が第１係合突部３３０よりも本体３１０の後端側（Ｙ２方向側）に位置するように第２端部３２２に一体的に設けられ且つＺ２方向に延びている。第２係合突部３４０は、所定の荷重が加えられることによって弾性変形可能な弾性体である。第２係合突部３４０は、本体３１０と同じ弾性素材で構成されている。第２係合突部３４０のＹ１方向側の端部および第２端部３２２の先端部（Ｙ１方向の端部）には、第２テーパー面３４１が設けられている。第２テーパー面３４１は、Ｙ１方向（第１方向の一方の方向）およびＺ１方向（第２方向の一方の方向）の成分を含む方向に漸次下り傾斜している。
【００３８】
本体３１０（前部３１１および後部３１２）のＸ１方向側（第３方向の一方側）の端部は平坦である。本体３１０（前部３１１および後部３１２）のＸ２方向側（第３方向の他方側）の端部は平坦である。
【００３９】
挿入穴１００ａは、図２Ａおよび図２Ｂに示すように、Ｙ１方向に延びた有底の穴であって、Ｙ２方向に開口している。挿入穴１００ａのＹ１−Ｙ２方向の寸法は、係合部３００のＹ１−Ｙ２方向の寸法よりも大きい。挿入穴１００ａは、第１、第２、第３および第４内壁１１０ａ、１２０ａ、１３０ａ、１４０ａを有している。第１内壁１１０ａは挿入穴１００ａのＺ１方向側（第２方向の一方側）の内壁である。第２内壁１２０ａは挿入穴１００ａのＺ２方向側（第２方向の他方側）の内壁である。第３内壁１３０ａは挿入穴１００ａのＸ１方向側（第３方向の一方側）の内壁である。第４内壁１４０ａは挿入穴１００ａのＸ２方向側（第３方向の他方側）の内壁である。
【００４０】
第３内壁１３０ａおよび第４内壁１４０ａは、図２Ａに示すように、平坦である。第３内壁１３０ａと第４内壁１４０ａとの間の距離（挿入穴１００ａの幅寸法）は、係合部３００のＸ１−Ｘ２方向の寸法（幅寸法）よりも若干大きい。
【００４１】
第１内壁１１０ａは、図２Ｂに示すように、第１係合穴１１１ａと、第１逃げ穴１１２ａと、第１突起１１３ａと、第１段部１１４ａとを有している。第１係合穴１１１ａは、第１内壁１１０ａのＹ１方向の端部に設けられた略Ｌ字状の穴である。第１係合穴１１１ａの外形は、係合部３００の第１係合突部３３０の外形よりも大きい。第１係合穴１１１ａに係合部３００の第１係合突部３３０が挿入可能である。
【００４２】
第１逃げ穴１１２ａは、第１内壁１１０ａの第１係合穴１１１ａよりも挿入穴１００ａの開口側（Ｙ２方向側）の部分に設けられた穴である。第１逃げ穴１１２ａの外形は、第１係合突部３３０の外形よりも大きい。第１逃げ穴１１２ａには、係合部３００が挿入穴１００ａに挿脱されるときに、当該係合部３００の第１係合突部３３０が挿入可能である。第１係合突部３３０が第１逃げ穴１１２ａに挿入されるとき、第２係合突部３４０は第２内壁１２０ａに押圧されないように構成されている。具体的には、第１逃げ穴１１２ａのＺ１−Ｚ２方向（第２方向）の寸法（深さ寸法）は、第１係合突部３３０のＺ１−Ｚ２方向（第２方向）の寸法（高さ寸法）よりも大きい。本体３１０のＺ１−Ｚ２方向の寸法と、第２係合突部３４０のＺ１−Ｚ２方向の寸法との和が、Ｚ１−Ｚ２方向における第１内壁１１０ａの第１段部１１４ａと第２内壁１２０ａの第２段部１２２ａとの間の距離（後述するＤ２）と略同じである。このため、図４の上から３つ目の図に示すように、係合部３００の第１係合突部３３０が第１逃げ穴１１２ａに挿入されたときに、当該係合部３００の第２係合突部３４０の先端が第２内壁１２０ａの第２段部１２２ａに接触するだけである。すなわち、係合部３００の第１係合突部３３０が第１逃げ穴１１２ａに挿入された状態で、第２係合突部３４０は第２段部１２２ａに押圧されない。
【００４３】
第１突起１１３ａは、第１内壁１１０ａの第１係合穴１１１ａと第１逃げ穴１１２ａとの間に設けられ且つＺ２方向に延びている。第１突起１１３ａは、係合部３００が挿入穴１００ａに挿脱されるときに、第１係合突部３３０を押圧可能である。第１突起１１３ａのＹ２方向側（第１方向の他方側）の端部には、傾斜面１１３ａ１が設けられている。傾斜面１１３ａ１はＹ２方向（第１方向の他方の方向）およびＺ１方向（第２方向の一方の方向）の成分を含む方向に下り傾斜している。第１突起１１３ａのＹ１方向側（第１方向の一方側）の端部には、Ｙ１−Ｙ２方向に対して直角である係合面１１３ａ２が設けられている。係合面１１３ａ２は、第１係合穴１１１ａのＹ２方向側の壁面であって、第１係合突部３３０と係合可能である。第１段部１１４ａは、第１内壁１１０ａの第１逃げ穴１１２ａよりも挿入穴１００ａの開口側（Ｙ２方向側）の部分に設けられている。
【００４４】
第２内壁１２０ａは、図２Ｂに示すように、第２係合穴１２１ａと、第２段部１２２ａとを有している。第２係合穴１２１ａは、その一部が第１係合穴１１１ａよりも挿入穴１００ａの開口側（Ｙ２方向側）に位置するように、第２内壁１２０ａに設けられた略矩形状の穴である。第２係合穴１２１ａの外形は、係合部３００の第２係合突部３４０の外形よりも大きい。第２係合穴１２１ａに、第２係合突部３４０が挿入可能である。第２段部１２２ａは、第２内壁１２０ａの第２係合穴１２１ａよりも挿入穴１００ａの開口側（Ｙ２方向側）の部分に設けられている。第２段部１２２ａのＹ１方向側の端部には、Ｙ１−Ｙ２方向に対して直角である係合面１２２ａ１が設けられている。係合面１２２ａ１は、第２係合穴１２１ａのＹ２方向側の壁面であって、第２係合突部３４０と係合可能である。
【００４５】
図２Ｂに示すＤ１は、Ｚ１−Ｚ２方向（第２方向）における第１内壁１１０ａの第１突起１１３ａから第２内壁１２０ａの第２段部１２２ａまでの距離である。図２Ｂに示すＤ２は、Ｚ１−Ｚ２方向における第１内壁１１０ａの第１段部１１４ａから第２内壁１２０ａの第２段部１２２ａまでの距離である。図２Ｂに示すＤ３は、Ｚ１−Ｚ２方向における係合部３００の第１係合突部３３０の先端から第２係合突部３４０の先端までの距離である。図２Ｂに示すＭ１は、係合部３００の前部３１１のＺ１−Ｚ２方向の寸法である。図２Ｂに示すＭ２は係合部３００の後部３１２のＺ１−Ｚ２方向の寸法である。
【００４６】
Ｄ３がＤ１よりも大きい。このため、係合部３００が挿入穴１１０ａに挿入されるときに、第１係合突部３３０が第１内壁１１０ａの第１突起１１３ａに押し付けられる（押圧される）一方、第２係合突部３４０が挿入穴１００ａの第２内壁１２０ａの第２段部１２２ａに押し付けられる（押圧される）。Ｄ１がＭ１と略同じ又はＭ１よりも若干大きい。よって、係合部３００の前部３１１が、第１内壁１１０ａの第１突起１１３ａと第２内壁１２０ａの第２段部１２２ａとの間に挿脱可能となる。
【００４７】
Ｄ２がＭ２と略同じ又は寸法Ｍ２よりも若干大きい。よって、第１係合突部３３０が第１係合穴１１１ａに係合され、第２係合突部３４０が第２係合穴１２１ａに係合された状態（係合状態）で、係合部３００の後部３１２が、第１内壁１１０ａの第１段部１１４ａと第２内壁１２０ａの第２段部１２２ａとの間で挟持される。なお、前記係合状態で、カバー４００のカバー本体４１０が嵌合凹部１００ｃに嵌合し、収容穴１００ｂを閉塞する。
【００４８】
以下、係合部３００を挿入穴１００ａに挿入する手順について図４を参照しつつ説明する。係合部３００がＹ１方向およびＺ２方向の成分を含む方向に傾斜した状態で、当該係合部３００が挿入穴１００ａにＹ１方向に挿入される。すると、第２テーパー面３４１が挿入穴１００ａの第２内壁１２０ａの第２段部１２２ａに当接する。その後、係合部３００の本体３１０の前部３１１が挿入穴１００ａの第１内壁１１０ａの第１段部１１４ａに当接する。その後、第２テーパー面３４１の先端部が挿入穴１００ａの第２内壁１２０ａの第２段部１２２ａから離反し、係合部３００がＹ１−Ｙ２方向に略平行となる。これと共に、係合部３００の第１係合突部３３０が第１内壁１１０ａの第１逃げ穴１１２ａに挿入される。このとき、第２テーパー面３４１の後端（第２係合突部３４０）が第２段部１２２ａに接触しているが、第２係合突部３４０は第２段部１２２ａに押圧されていない。その後、係合部３００の第１係合突部３３０の第１テーパー面３３１が第１内壁１１０ａの第１突起１１３ａの傾斜面１１３ａ１に当接し、係合部３００が傾斜面１１３ａ１に沿ってＹ１方向およびＺ２方向の成分を含む方向に移動する。これにより、係合部３００の第２係合突部３４０が第２内壁１２０ａの第２段部１２２ａに押圧される。第２段部１２２ａによって第２係合突部３４０に上記荷重が加えられると、第２係合突部３４０が弾性変形し且つ本体３１０の第２端部３２２の第２係合突部３４０の周りの部分が弾性変形する。その後、第１係合突部３３０が第１内壁１１０ａの第１突起１１３ａに押圧される。第１突起１１３ａによって第１係合突部３３０に上記荷重が加えられると、第１係合突部３３０が弾性変形し且つ本体３１０の第１端部３２１の第１係合突部３３０の周りの部分が弾性変形する。これと共に、係合部３００の本体３１０の後部３１２が第１、第２内壁１１０ａ、１２０ａの第１、第２段部１１４ａ、１２２ａの間に挿入される。その後、第１係合突部３３０が第１突起１１３ａを乗り越え、第１内壁１１０ａの第１係合穴１１１ａに挿入され、復元する。その一方で、第２係合突部３４０が第２内壁１２０ａの第２係合穴１２１ａに挿入され、復元する。これにより、第１係合突部３３０が第１係合穴１１１ａに係合され、第２係合突部３４０が第２係合穴１２１ａに係合される。このとき、係合部３００の本体３１０の後部３１２が第１、第２内壁１１０ａ、１２０ａの第１、第２段部１１４ａ、１２２ａに当接される（第１、第２段部１１４ａ、１２２ａの間で挟持される）。
【００４９】
上述した係合部３００が挿入穴１００ａに挿入される過程で、カバー４００の第２突部４３０が電子部品２００内に挿入される。第１係合突部３３０が第１係合穴１１１ａに係合され、第２係合突部３４０が第２係合穴１２１ａに係合されると、カバー４００の第１突部４２０がハウジング１００の収容穴１００ｂ内に挿入され、カバー４００のカバー本体４１０がハウジング１００の嵌合凹部１００ｃに嵌合し、当該収容穴１００ｂを閉塞する。
【００５０】
上記電子機器および／又は係合部３００に外部から衝撃等が加わり、係合部３００がＹ２方向に移動したときには、第１係合突部３３０が第１係合穴１１１ａのＹ２方向側の壁面（すなわち、第１突起１１３ａの係合面１１３ａ２）に係合され、第２係合突部３４０が第２係合穴１２１ａのＹ２方向側の壁面（すなわち、第２段部１２２ａの係合面１２２ａ１）に係合される。第１、第２係合突部３３０、３４０に上記荷重が加えられない限り、第１、第２係合突部３３０、３４０は弾性変形しないので、係合部３００の挿入穴１００ａからの脱落が好適に抑止される。
【００５１】
以下、係合部３００を挿入穴１００ａから引き抜く手順について図４を参照しつつ説明する。カバー４００のカバー本体４１０が把持され、Ｙ２方向に引っ張られる。すると、カバー４００のカバー本体４１０がハウジング１００の嵌合凹部１００ｃから抜けると共に、カバー４００の第１突部４２０がハウジング１００の収容穴１００ｂから抜け、カバー４００の第２突部４３０が電子部品２００から抜ける。
【００５２】
このとき、係合部３００が挿入穴１００ａ内をＹ２方向に移動する。すると、第１係合突部３３０が第１内壁１１０ａの第１係合穴１１１ａのＹ２方向側の壁面（すなわち、第１突起１１３ａの係合面１１３ａ２）に押圧される。第１突起１１３ａによって第１係合突部３３０に上記荷重が加えられると、第１係合突部３３０が弾性変形し且つ本体３１０の第１端部３２１の第１係合突部３３０の周りの部分が弾性変形する。その一方で、第２係合突部３４０が第２内壁１２０ａの第２係合穴１２１ａのＹ２方向側の壁面（すなわち、第２段部１２２ａの係合面１２２ａ１）に押圧される。第２段部１２２ａによって第２係合突部３４０に上記荷重が加えられると、第２係合突部３４０が弾性変形し且つ本体３１０の第２端部３２２の第２係合突部３４０の周りの部分が弾性変形する。その後、第１係合突部３３０が第１内壁１１０ａの第１突起１１３ａを乗り越え、当該第１内壁１１０ａの第１逃げ穴１１２ａに挿入されると、第１係合突部３３０および第２係合突部３４０が復元する。このとき、第２係合突部３４０が第２段部１２２ａを押圧し、係合部３００が挿入穴１００ａ内でＺ１方向に変位する。これにより、第１係合突部３３０が第１内壁１１０ａに接触せず且つ第２係合突部３３０が第２内壁１２０ａに押圧されない状態となる。このとき、係合部３００の本体３１０の後部３１２が第１、第２内壁１１０ａ、１２０ａの第１、第２段部１１４ａ、１２２ａの間から抜ける。その後、係合部３００をＹ１方向およびＺ２方向の成分を含む方向に傾斜させ、第２テーパー面３４１を挿入穴１００ａの第２内壁１２０ａの第２段部１２２ａに当接させる。この状態で、係合部３００が挿入穴１００ａ内をＹ２方向に更に移動すると、係合部３００の本体３１０の前部３１１、第１係合突部３３０および第２係合突部３４０が挿入穴１００ａから抜ける。
【００５３】
以上のような電子機器による場合、以下の技術的特徴を有する。第１技術的特徴は、係合部３００のハウジング１００の挿入穴１００ａからの不用意な抜けを好適に抑止できることにある。なぜなら、第１、第２係合突部３３０、３４０が第１、第２係合穴１１１ａ、１２１ａに係合された状態で、第１、第２係合突部３３０、３４０に第１、第２内壁１１０ａ、１２０ａによって所定以上の荷重が加えられない限り、第１、第２係合突部３３０、３４０が弾性変形しないため、第１、第２係合突部３３０、３４０と第１、第２係合穴１１１ａ、１２１ａとの係合が維持されるからである。
【００５４】
第２技術的特徴は、所定以上の荷重（引き抜きの力）が係合部３００にかかったとき、係合部３００とハウジング１００の挿入穴１００ａとの係合の解除を容易に行うことができることにある。その理由は以下の通りである。第１、第２係合突部３３０、３４０が第１、第２係合穴１１１ａ、１２１ａに係合された状態で、第１、第２係合突部３３０、３４０に第１、第２内壁１１０ａ、１２０ａによって所定以上の荷重が加えられる。これにより、第１、第２係合突部３３０、３４０が弾性変形し、第１、第２係合突部３３０、３４０と第１、第２係合穴１１１ａ、１２１ａとの係合が解除されるからである。
【００５５】
第３技術的特徴は、係合部３００を挿入穴１００ａから容易に引き抜けることにある。その理由は以下の通りである。１）係合部３００が挿入穴１００ａから引き抜かれるとき、第１係合突部３３０が第１内壁１１０ａの第１突起１１３ａを乗り越え、第１逃げ穴１１２ａに挿入されると、第１係合突部３３０が第１内壁１１０ａに、第２係合突部３４０が第２内壁１２０ａに押圧されない状態なる。よって、係合部３００が挿入穴１００ａから引き抜かれるときに、第１、第２係合突部３３０、３４０が第１、第２内壁１１０ａ、１２０ａに押圧される距離が短くなる。２）第２係合穴１２１ａが、その一部が第１係合穴１１１ａよりも挿入穴１００ａの開口側に位置しているため、第１係合穴１１１ａのＹ２方向側の縁部（第１突起１１３ａ）と第２係合穴１２１ａの縁部（第２段部１２２ａ）との間の距離が大きくなる。また、第２係合突部３４０は、その一部が第１係合突部３３０よりも本体３１０の後端側に位置しているため、第２係合突部３４０の前記一部以外の部分、本体３１０および第１係合突部３３０のＺ１−Ｚ２方向の寸法が、第１、第２係合突部が本体の第１、第２端部の第２方向における対称箇所に設けられている場合の第１、第２係合突部のＺ１−Ｚ２方向の寸法と本体のＺ１−Ｚ２方向の寸法との和によりも低減される。よって、係合部３００の前部３１１および第１、第２係合突部３３０、３４０が第１突起１１３ａと第２段部１２２ａとの間から引き抜き易くなる。
【００５６】
第４技術的特徴は、係合部３００とハウジング１００の挿入穴１００ａとの係合を容易に行うことができることにある。その理由は以下の通りである。３）第１係合突部３３０が第１逃げ穴１１２ａに挿入され、第１内壁１１０ａの第１突起１１３ａを乗り越えることによって、第１係合穴１１１ａに係合されるので、係合部３００が挿入穴１００ａに挿入されるときに、第１係合突部３３０が第１内壁１１０ａに押圧される距離が短くなる。４）上述の通り第１係合穴１１１ａのＹ２方向側の縁部（第１突起１１３ａ）と第２係合穴１２１ａの縁部（第２段部１２２ａ）との間の距離が大きくなる。また、第２係合突部３４０の前記一部以外の部分、本体３１０および第１係合突部３３０のＺ１−Ｚ２方向の寸法が低減される。よって、係合部３００の前部３１１および第１、第２係合突部３３０、３４０が第１突起１１３ａと第２段部１２２ａとの間から挿入し易くなる。５）第１係合突部３３０に第１テーパー面３３１が設けられ、第２係合突部３４０および本体３１０の先端部に第２テーパー面３４１が設けられ且つ第１突起１１３ａに傾斜面１１３ａ１が設けられているためである。
【００５７】
第５技術的特徴は、第１、第２係合突部３３０、３４０が第１、第２係合穴１１１ａ、１２１ａに係合された状態が安定することにある。この状態で、係合部３００の後部３１２が第１、第２内壁１１０ａ、１２０ａの第１、第２段部１１４ａ、１２２ａに挟持されるからである。
【実施例２】
【００５８】
次に、本発明の実施例２に係る電子機器について図５Ａ〜図８Ｂを参照しつつ説明する。この実施例２の電子機器は、図５Ａ〜図６Ｂに示すように、次の第１、第２相違点で上記実施例１の電子機器と相違する以外、当該実施例１の電子機器と略同じ構成である。第１相違点は、実施例２の係合部３００’の形状が実施例１の係合部３００の形状と相違していることである。第２相違点は、実施例２の挿入穴１００ａ’の第１、第２、第３、第４内壁１１０ａ’、１２０ａ’、１３０ａ’、１４０ａ’の形状が、実施例１の挿入穴１００ａの第１、第２、第３、第４内壁１１０ａ、１２０ａ、１３０ａ、１４０ａの形状と相違していることである。以下、前記第１、第２相違点について詳しく説明し、実施例１と重複する説明は省略する。なお、実施例２の係合部、挿入穴および第１、第２、第３、第４内壁については、符号に’を付して実施例１の係合部、挿入穴および第１、第２、第３、第４内壁と区別する。図６Ａ〜図６Ｂにも、実施例１と同じＹ１、Ｙ２、Ｚ１、Ｚ２、Ｘ１−Ｘ２方向が示されている。
【００５９】
係合部３００’は、図５Ａおよび図６Ａ〜図６Ｂに示すように、カバー本体４１０の内面の第１、第２突部（図示省略）の隣に設けられている。係合部３００’は、弾性素材（例えば、ウレタンゴム、シリコンゴム等）で構成されている。係合部３００’は、ハウジング１００’の挿入穴１００ａ’にＹ１−Ｙ２方向に挿脱可能である。係合部３００’は、本体３１０’と、第１、第２、第３、第４端部３２１’、３２２’、３２３’、３２４’と、第１、第２、第３、第４係合突部３３０’、３４０’、３５０’、３６０’と、拡張部３７０’とを有している。
【００６０】
本体３１０’は、弾性体（例えば、ウレタンゴム、シリコンゴム等）であって、Ｙ１−Ｙ２方向に延びている。第１端部３２１’は、本体３１０’のＺ１方向側（第２方向の一方側）の端部である。第２端部３２２’は、本体３１０’のＺ２方向側（第２方向の他方側）の端部である。第３端部３２３’は、本体３１０’のＸ１方向側（第２方向の一方側）の端部である。第４端部３２４’は、本体３１０’のＸ２方向側（第２方向の他方側）の端部である。
【００６１】
第１係合突部３３０’は、図５Ａ、図６Ｂおよび図７に示すように、第１端部３２１’の先端部（Ｙ１方向の端部）に設けられ且つＺ１方向に延びている。第１係合突部３３０’は、所定の荷重が加えられることによって弾性変形可能な弾性体である。第１係合突部３３０’は、本体３１０’と同じ弾性素材で構成されている。第１係合突部３３０’には、第１テーパー面３３１’が設けられている。第１テーパー面３３１’は、Ｙ１方向（第１方向の一方の方向）およびＺ２方向（第２方向の他方の方向）の成分を含む方向に漸次下り傾斜している。
【００６２】
第２係合突部３４０’は、図５Ａ、図６Ｂおよび図７に示すように、当該第２係合突部３４０’が第１係合突部３３０’よりも本体３１０’の後端側（Ｙ２方向側）に位置するように第２端部３２２’に設けられ且つＺ２方向に延びている。第２係合突部３４０’は、所定の荷重が加えられることによって弾性変形可能な弾性体である。第２係合突部３４０’は、本体３１０’と同じ弾性素材で構成されている。第２係合突部３４０’および第２端部３２２’の先端部（Ｙ１方向の端部）には、第２テーパー面３４１’が設けられている。第２テーパー面３４１’は、Ｙ１方向（第１方向の一方の方向）およびＺ１方向（第２方向の一方の方向）の成分を含む方向に漸次下り傾斜している。
【００６３】
第３係合突部３５０’は、図５Ａ、図６Ａおよび図７に示すように、第３端部３３１’の中間部に設けられ且つＸ１方向に延びている。第３係合突部３５０’は、所定の荷重が加えられることによって弾性変形可能な弾性体である。第３係合突部３５０’は、本体３１０’と同じ弾性素材で構成されている。第３係合突部３５０’のＹ１方向側（第１方向の一方側）の端部には、第３テーパー面３５１’が設けられている。第３テーパー面３５１’は、Ｙ１方向（第１方向の一方の方向）およびＸ２方向（第３方向の他方の方向）の成分を含む方向に漸次下り傾斜している。拡張部３７０’は、第３端部３２３’の後端部（Ｙ２方向の端部）に設けられ且つＺ１方向に延びている。
【００６４】
第４係合突部３６０’は、図５Ａ、図６Ａおよび図７に示すように、当該第４係合突部３６０’が第３係合突部３５０’よりも本体３１０’の後端側（Ｙ２方向側）に位置するように第４端部３２４’に設けられ且つＸ２方向に延びている。第４係合突部３６０’は、所定の荷重が加えられることによって弾性変形可能な弾性体である。第４係合突部３６０’は、本体３１０’と同じ弾性素材で構成されている。第４係合突部３６０’のＹ１方向側（第１方向の一方側）の端部には、第４テーパー面３６１’が設けられている。第４テーパー面３６１’は、Ｙ１方向（第１方向の一方の方向）およびＸ１方向（第４方向の一方の方向）の成分を含む方向に漸次下り傾斜している。
【００６５】
ハウジング１００の挿入穴１００ａ’は、図５Ａおよび図６Ａ〜図６Ｂに示すように、Ｙ１方向に延びた有底の穴であって、Ｙ２方向に開口している。挿入穴１００ａ’は、第１、第２、第３および第４内壁１１０ａ’、１２０ａ’、１３０ａ’、１４０ａ’を有している。第１内壁１１０ａ’は挿入穴１００ａ’のＺ１方向側（第２方向の一方側）の内壁である。第２内壁１２０ａ’は挿入穴１００ａ’のＺ２方向側（第２方向の他方側）の内壁である。第３内壁１３０ａ’は挿入穴１００ａ’のＸ１方向側（第３方向の一方側）の内壁である。第４内壁１４０ａ’は挿入穴１００ａ’のＸ２方向側（第３方向の他方側）の内壁である。
【００６６】
第１内壁１１０ａ’は、図６Ｂに示すように、第１係合穴１１１ａ’と、第１逃げ穴１１２ａ’と、第１突起１１３ａ’と、第１段部１１４ａ’とを有している。第１係合穴１１１ａ’は、第１内壁１１０ａ’のＹ１方向の端部に設けられた穴である。第１係合穴１１１ａ’の外形は、係合部３００’の第１係合突部３３０’の外形よりも大きい。第１係合穴１１１ａ’に係合部３００’の第１係合突部３３０’が挿入可能である。
【００６７】
第１逃げ穴１１２ａ’は、第１内壁１１０ａ’の第１係合穴１１１ａ’よりも挿入穴１００ａ’の開口側（Ｙ２方向側）の部分に設けられた穴である。第１逃げ穴１１２ａ’の外形は、第１係合突部３３０’の外形よりも大きい。第１逃げ穴１１２ａ’には、係合部３００’が挿入穴１００ａ’に挿脱されるときに、当該係合部３００’の第１係合突部３３０’が挿入可能である。第１逃げ穴１１２ａ’のＺ１−Ｚ２方向の寸法（深さ寸法）は、係合部３００’の第１係合突部３３０’のＺ１−Ｚ２方向の寸法（高さ寸法）と略同じである。
【００６８】
第１突起１１３ａ’は、第１内壁１１０ａ’の第１係合穴１１１ａ’と第１逃げ穴１１２ａ’との間に設けられ且つＺ２方向に延びている。第１突起１１３ａ’は、係合部３００’が挿入穴１００ａ’に挿脱されるときに、第１係合突部３３０’を押圧可能である。第１突起１１３ａ’のＹ２方向側（第１方向の他方側）の端部には、傾斜面１１３ａ１’が設けられている。傾斜面１１３ａ１’はＹ２方向（第１方向の他方の方向）およびＺ１方向（第２方向の一方の方向）の成分を含む方向に下り傾斜している。第１突起１１３ａ’のＹ１方向側（第１方向の一方側）の端部には、Ｙ１−Ｙ２方向に対して直角である係合面１１３ａ２’が設けられている。係合面１１３ａ２’は、第１係合穴１１１ａ’のＹ２方向側の壁面であって、第１係合突部３３０’と係合可能である。第１段部１１４ａ’は、第１内壁１１０ａ’の第１逃げ穴１１２ａ’よりも挿入穴１００ａ’の開口側（Ｙ２方向側）の部分に設けられている。
【００６９】
第２内壁１２０ａ’は、図６Ｂに示すように、第２係合穴１２１ａ’と、第２逃げ穴１２２ａ’と、第１突起１２３ａ’とを有している。第２係合穴１２１ａ’は、その一部が第１係合穴１１１ａ’よりも挿入穴１００ａ’の開口側（Ｙ２方向側）に位置するように、第２内壁１２０ａ’に設けられた穴である。第２係合穴１２１ａ’の外形は、係合部３００’の第２係合突部３４０’の外形よりも大きい。第２係合穴１２１ａ’に、第２係合突部３４０’が挿入可能である。
【００７０】
第２逃げ穴１２２ａ’は、第２内壁１２０ａ’の第２係合穴１２１ａ’よりも挿入穴１００ａ’の開口側（Ｙ２方向側）の部分に設けられた穴である。第２逃げ穴１２２ａ’の外形は、第２係合突部３４０’の外形よりも大きい。第２逃げ穴１２２ａ’のＺ１−Ｚ２方向の寸法（深さ寸法）は、係合部３００’の第２係合突部３４０’のＺ１−Ｚ２方向の寸法（高さ寸法）よりも大きい。第２逃げ穴１２２ａ’は、Ｙ２方向に開放されている。第２逃げ穴１２２ａ’には、係合部３００’が挿入穴１００ａ’に挿脱されるときに、当該係合部３００’の第２係合突部３４０’が挿入可能である。また、第１係合突部３３０’が第１逃げ穴１１２ａ’に挿入されるとき、第２係合突部３４０’は第２内壁１２０ａ’に押圧されないように構成されている。具体的には、第１係合突部３３０’が第１逃げ穴１１２ａ’に挿入されるとき、第２係合突部３４０’は第２逃げ穴１２２ａ’に挿入されるようになっている。
【００７１】
第２突起１２３ａ’は、第２内壁１２０ａ’の第２係合穴１２１ａ’と第２逃げ穴１２２ａ’との間に設けられ且つＺ２方向に延びている。第２突起１２３ａ’は、係合部３００’が挿入穴１００ａ’に挿脱されるときに、第２係合突部３４０’を押圧可能である。第２突起１２３ａ’のＹ２方向側（第１方向の他方側）の端部には、傾斜面１２３ａ１’が設けられている。傾斜面１２３ａ１’はＹ２方向（第１方向の他方の方向）およびＺ２方向（第２方向の他方の方向）の成分を含む方向に下り傾斜している。第２突起１２３ａ’のＹ１方向側（第１方向の一方側）の端部には、Ｙ１−Ｙ２方向に対して直角である係合面１２３ａ２’が設けられている。係合面１２３ａ２’は、第２係合穴１２１ａ’のＹ２方向側の壁面であって、第２係合突部３４０’と係合可能である。
【００７２】
図６Ｂに示すＤ４は、Ｚ１−Ｚ２方向（第２方向）における第１内壁１１０ａ’の第１突起１１３ａ’から第２内壁１２０ａ’の第２突起１２３ａ’までの距離およびＺ１−Ｚ２方向における第１内壁１１０ａ’の第１段部１１４ａ’から第２内壁１２０ａ’の第２突起１２３ａ’までの距離である。図６Ｂに示すＤ５は、Ｚ１−Ｚ２方向における係合部３００’の第１係合突部３３０’の先端から第２係合突部３４０’の先端までの距離である。図６Ｂに示すＭ３は、係合部３００’の本体３１０’のＺ１−Ｚ２方向の寸法である。
【００７３】
Ｄ５がＤ４よりも大きい。このため、係合部３００’が挿入穴１１０ａ’に挿入されるときに、第１係合突部３３０’が第１内壁１１０ａ’の第１突起１１３ａ’に押し付けられる（押圧される）一方、第２係合突部３４０’が挿入穴１００ａ’の第２内壁１２０ａ’の第２突起１２３ａ’に押し付けられる（押圧される）。Ｄ４がＭ３と略同じ又はＭ３よりも若干大きい。よって、第１係合突部３３０’が第１係合穴１１１ａ’に係合され、第２係合突部３４０が第２係合穴１２１ａ’に係合された状態（係合状態）で、係合部３００’の本体３１０’が、第１内壁１１０ａ’の第１突起１１３ａ’および第１段部１１４ａ’と、第２内壁１２０ａ’の第２突起１２３ａ’との間で挟持される。すなわち、本体３１０’が３点（第１突起１１３ａ’、第１段部１１４ａ’および第２突起１２３ａ’）で支持される。
【００７４】
第３内壁１３０ａ’は、図６Ａに示すように、第３係合穴１３１ａ’と、第３逃げ穴１３２ａ’と、第３突起１３３ａ’とを有している。第３係合穴１３１ａ’は、第３内壁１３０ａ’の中間部に設けられた穴である。第３係合穴１３１ａ’の外形は、係合部３００’の第３係合突部３５０’の外形よりも大きい。第３係合穴１３１ａ’に係合部３００’の第３係合突部３５０’が挿入可能である。
【００７５】
第３逃げ穴１３２ａ’は、第３内壁１３０ａ’の第３係合穴１３１ａ’よりも挿入穴１００ａ’の開口側（Ｙ２方向側）の部分に設けられた穴である。第３逃げ穴１３２ａ’は、Ｙ２方向に開放されている。第３逃げ穴１３２ａ’の外形は、第３係合突部３５０’の外形よりも大きい。第３逃げ穴１３２ａ’には、係合部３００’が挿入穴１００ａ’に挿脱されるときに、当該係合部３００’の第３係合突部３５０’が挿入可能である。また、第３逃げ穴１３２ａ’には、拡張部３７０’が挿入可能である。第３逃げ穴１３２ａ’のＸ１−Ｘ２方向の寸法（深さ寸法）は、係合部３００’の第３係合突部３５０’および拡張部３７０’のＸ１−Ｘ２方向の寸法（高さ寸法）と略同じである。
【００７６】
第３突起１３３ａ’は、第３内壁１３０ａ’の第３係合穴１３１ａ’と第３逃げ穴１３２ａ’との間に設けられ且つＸ２方向に延びている。第３突起１３３ａ’は、係合部３００’が挿入穴１００ａ’に挿脱されるときに、第３係合突部３５０’を押圧可能である。第３突起１３３ａ’のＹ２方向側（第１方向の他方側）の端部には、傾斜面１３３ａ１’が設けられている。傾斜面１３３ａ１’はＹ２方向（第１方向の他方の方向）およびＸ１方向（第２方向の一方の方向）の成分を含む方向に下り傾斜している。第３突起１３３ａ’のＹ１方向側（第１方向の一方側）の端部には、Ｙ１−Ｙ２方向に対して直角である係合面１３３ａ２’が設けられている。係合面１３３ａ２’は、第３係合穴１３１ａ’のＹ２方向側の壁面であって、第３係合突部３５０’と係合可能である。
【００７７】
第４内壁１４０ａ’は、図６Ａに示すように、第４係合穴１４１ａ’と、第４段部１４２ａ’とを有している。第４係合穴１４１ａ’は、その一部が第３係合穴１３１ａ’よりも挿入穴１００ａ’の開口側（Ｙ２方向側）に位置するように、第４内壁１４０ａ’に設けられた穴である。第４係合穴１４１ａ’の外形は、係合部３００’の第４係合突部３６０’の外形よりも大きい。第４係合穴１４１ａ’に、第４係合突部３６０’が挿入可能である。
【００７８】
第４段部１４２ａ’は、第４内壁１４０ａ’の第４係合穴１４１ａ’よりも挿入穴１００ａ’の開口側（Ｙ２方向側）の部分に設けられている。第４段部１４２ａ’のＹ１方向側の端部には、Ｙ１−Ｙ２方向に対して垂直である係合面１４２ａ１’が設けられている。係合面１４２ａ１’は、第４係合穴１２１ａ’のＹ２方向側の壁面であって、第４係合突部３６０’と係合可能である。
【００７９】
図６Ａに示すＤ６は、Ｘ１−Ｘ２方向（第３方向）における第３内壁１３０ａ’の第３突起１３３ａ’から第４内壁１４０ａ’の第４段部１４２ａ’までの距離である。図６Ａに示すＤ７は、Ｘ１−Ｘ２方向における係合部３００’の第３係合突部３５０’の先端から第４係合突部３６０’の先端までの距離である。図６Ｂに示すＭ４は、係合部３００’の本体３１０’のＸ１−Ｘ２方向の寸法である。
【００８０】
Ｄ７がＤ６よりも大きい。このため、係合部３００’が挿入穴１１０ａ’に挿入されるときに、第４係合突部３６０’が挿入穴１００ａ’の第４内壁１４０ａ’の第４段部１４２ａ’に押し付けられる（押圧される）一方、第３係合突部３５０’が第３内壁１３０ａ’の第３突起１３３ａ’に押し付けられる（押圧される）。Ｄ６がＭ４と略同じ又はＭ４よりも若干大きい。よって、第３係合突部３５０’が第３係合穴１３１ａ’に係合され、第４係合突部３６０’が第４係合穴１４１ａ’に係合された状態（係合状態）で、係合部３００’の本体３１０’が、第３内壁１３０ａ’の第３突起１３３ａ’と、第４内壁１４０ａ’の第４段部１４２ａ’との間で挟持される。
【００８１】
以下、係合部３００’を挿入穴１００ａ’に挿入する手順について図８Ａおよび図８Ｂを参照しつつ説明する。係合部３００’がＹ１−Ｙ２方向に略平行な状態で、当該係合部３００’が挿入穴１００ａ’にＹ１方向に挿入される。すると、第２係合突部３４０’が挿入穴１００ａ’の第２内壁１２０ａ’の第２逃げ穴１２２ａ’に挿入され、第２係合突部３４０’の第２テーパー面３４１’が第２逃げ穴１２２ａ’の底面に当接する。これと共に、係合部３００’の第１係合突部３３０’が挿入穴１００ａ’の第１内壁１１０ａ’の第１段部１１４ａ’に当接する。このとき、係合部３００’の第３係合突部３５０’が第３内壁１３０ａ’の第３逃げ穴１３２ａ’に挿入される。
【００８２】
その後、第１係合突部３３０’が第１段部１１４ａ’に上記荷重で押し付けられると、第１係合突部３３０’の先端部が弾性変形する。その後、第１係合突部３３０’が第１内壁１１０ａ’の第１逃げ穴１１２ａ’に挿入され、復元する。これと共に、係合部３００’の第３係合突部３５０’の第３テーパー面３５１’が第３内壁１３０ａ’の第３突起１３３ａ’の傾斜面１３３ａ１’に当接し、第３係合突部３５０’が第３内壁１３０ａ’の第３突起１３３ａ’に押圧される。第３突起１３３ａ’によって第３係合突部３５０’に上記荷重が加えられると、第３係合突部３５０’が弾性変形し且つ本体３１０’の第３端部３２３の第３係合突部３５０’の周りの部分が弾性変形する。このとき、第２係合突部３４０’は、第２内壁１２０ａ’の第２逃げ穴１２２ａ’内をＹ１方向に移動する（すなわち、第２係合突部３４０’は第２逃げ穴１２２ａ’に挿入されている）。
【００８３】
その後、係合部３００’の第２係合突部３４０’が第２内壁１２０ａ’の第２突起１２３ａ’に押圧される。第２突起１２３ａ’によって第２係合突部３４０’に上記荷重が加えられると、第２係合突部３４０’が弾性変形し且つ本体３１０’の第２端部３２２’の第２係合突部３４０’の周りの部分が弾性変形する。これと共に、係合部３００’の第４係合突部３６０’の第４テーパー面３６１’が第４内壁１４０ａ’の第４段部１４２ａ’に当接し、第４係合突部３６０’が第４内壁１４０ａ’の第４段部１４２ａ’に押圧される。第４段部１４２ａ’によって第４係合突部３６０’に上記荷重が加えられると、第４係合突部３６０’が弾性変形し且つ本体３１０’の第４端部３２４’の第４係合突部３３６’の周りの部分が弾性変形する。
【００８４】
その後、係合部３００’の第１係合突部３３０’の第１テーパー面３３１’が第１内壁１１０ａ’の第１突起１１３ａ’の傾斜面１１３ａ１’に当接し、第１係合突部３３０’が第１内壁１１０ａ’の第１突起１１３ａ’に押圧される。第１突起１１３ａ’によって第１係合突部３３０’に上記荷重が加えられると、第１係合突部３３０’が弾性変形し且つ本体３１０’の第１端部３２１’の第１係合突部３３０’の周りの部分が弾性変形する。
【００８５】
その後、第１係合突部３３０’が第１突起１１３ａ’を乗り越え、第１内壁１１０ａ’の第１係合穴１１１ａ’に挿入され、復元する。第２係合突部３４０’が第２内壁１２０ａ’の第２突起１２３ａ’を乗り越え、第２内壁１２０ａ’の第２係合穴１２１ａ’に挿入され、復元する。第３係合突部３５０’が第３内壁１３０ａ’の第３突起１３３ａ’を乗り越え、第３内壁１３０ａ’の第３係合穴１３１ａ’に挿入され、復元する。第４係合突部３６０’が第４内壁１４０ａ’の第４段部１４２ａ’を乗り越え、第４内壁１４０ａ’の第４係合穴１４１ａ’に挿入され、復元する。これにより、第１係合突部３３０’が第１係合穴１１１ａ’に係合され、第２係合突部３４０’が第２係合穴１２１ａ’に係合され、第３係合突部３４０’が第３係合穴１３１ａ’に係合され、第４係合突部３６０’が第４係合穴１４１ａ’に係合される。これと共に、拡張部３７０’が挿入穴１００ａ’の第４内壁１４０ａ’の第４逃げ穴１４２ａ’に挿入される。すると、係合部３００’の本体３１０’が、第１内壁１１０ａ’の第１突起１１３ａ’および第１段部１１４ａ’と、第２内壁１２０ａ’の第２突起１２３ａ’との間で挟持されると共に、第３内壁１３０ａ’の第３突起１３３ａ’と、第４内壁１４０ａ’の第４段部１４２ａ’との間で挟持される。
【００８６】
上記電子機器および係合部３００’に外部から衝撃等が加わり、係合部３００’がＹ２方向に移動したときには、第１係合突部３３０’が第１係合穴１１１ａ’のＹ２方向側の壁面（すなわち、第１突起１１３ａ’の係合面１１３ａ２’）に係合され、第２係合突部３４０’が第２係合穴１２１ａ’のＹ２方向側の壁面（すなわち、第２突起１２３ａ’の係合面１２２ａ１’）に係合され、第３係合突部３５０’が第３係合穴１３１ａ’のＹ２方向側の壁面（すなわち、第３突起１３３ａ’の係合面１３３ａ２’）に係合され、第４係合突部３６０’が第４係合穴１４１ａ’のＹ２方向側の壁面（すなわち、第４段部１４２ａ’の係合面１４２ａ１’）に係合される。第１、第２、第３、第４係合突部３３０’、３４０’、３５０’、３６０’に上記荷重が加えられない限り、第１、第２、第３、第４係合突部３３０’、３４０’、３５０’、３６０’は弾性変形しないので、係合部３００’の挿入穴１００ａ’からの脱落が好適に抑止される。
【００８７】
以下、係合部３００’を挿入穴１００ａ’から引き抜く手順について図８Ａおよび図８Ｂを参照しつつ説明する。カバー４００’のカバー本体４１０’が把持され、Ｙ２方向に引っ張られる。すると、係合部３００’が挿入穴１００ａ’内をＹ２方向に移動する。すると、第１係合突部３３０’が第１内壁１１０ａ’の第１係合穴１１１ａ’のＹ２方向側の壁面（すなわち、第１突起１１３ａ’の係合面１１３ａ２’）に押圧される。第１突起１１３ａ’によって第１係合突部３３０’に上記荷重が加えられると、第１係合突部３３０’が弾性変形し且つ本体３１０’の第１端部３２１’の第１係合突部３３０’の周りの部分が弾性変形する。第２係合突部３４０’が第２内壁１２０ａ’の第２係合穴１２１ａ’のＹ２方向側の壁面（すなわち、第２突起１２３ａ’の係合面１２３ａ２’）に押圧される。第２突起１２３ａ’によって第２係合突部３４０’に上記荷重が加えられると、第２係合突部３４０’が弾性変形し且つ本体３１０’の第２端部３２２’の第２係合突部３４０’の周りの部分が弾性変形する。第３係合突部３４０’が第３内壁１３０ａ’の第３係合穴１３１ａ’のＹ２方向側の壁面（すなわち、第３突起１３３ａ’の係合面１３３ａ２’）に押圧される。第３突起１３３ａ’によって第３係合突部３５０’に上記荷重が加えられると、第３係合突部３４０’が弾性変形し且つ本体３１０’の第３端部３２３の第３係合突部３５０’の周りの部分が弾性変形する。第４係合突部３６０’が第４内壁１４０ａ’の第４係合穴１４１ａ’のＹ２方向側の壁面（すなわち、第４段部１４２ａ’の係合面１４２ａ１’）に押圧される。第４段部１４２ａ’によって第４係合突部３６０’に上記荷重が加えられると、第４係合突部３６０’が弾性変形し且つ本体３１０’の第４端部３２４’の第４係合突部３３６’の周りの部分が弾性変形する。
【００８８】
その後、第１係合突部３３０’が第１内壁１１０ａ’の第１突起１１３ａ’を乗り越え、当該第１内壁１１０ａ’の第１逃げ穴１１２ａ’に挿入され、第１係合突部３３０’が復元する。第２係合突部３４０’が第２内壁１２０ａ’の第２突起１２３ａ’を乗り越え、当該第２内壁１２０ａ’の第２逃げ穴１２２ａ’に挿入され、第２係合突部３４０’が復元する。第３係合突部３５０’が第３内壁１３０ａ’の第３突起１３３ａ’を乗り越え、当該第３内壁１３０ａ’の第３逃げ穴１３２ａ’に挿入され、第３係合突部３５０’が復元する。第４係合突部３６０’が第４内壁１１０ａ’の第４段部１４２ａ’を乗り越え、第４係合突部３６０’が復元する。これと共に、拡張部３７０’が第３逃げ穴１３２ａ’から脱する。その後、第１係合突部３３０’が第１内壁１１０ａ’の第１逃げ穴１１２ａ’のＹ２方向側の壁面（すなわち、第１段部１１４ａ’）に押圧される。第１段部１１４ａ’によって第１係合突部３３０’に上記荷重が加えられると、第１係合突部３３０’の先端部が弾性変形する。第１係合突部３３０’が第１段部１１４ａ’を乗り越え、第１係合突部３３０’が復元する。これと共に、第２係合突部３４０’が第２逃げ穴１２２ａ’から脱し、第３係合突部３５０’が第３逃げ穴１３２ａ’から脱する。
【００８９】
以上のような電子機器による場合、以下の技術的特徴を有する。第１技術的特徴は、第１、第２係合突部３３０’、３４０’が第１、第２係合穴１１１ａ’、１２１ａ’に係合されると共に、第３、第４係合突部３５０’、３６０’が第３、第４係合穴１３１ａ’、１４１ａ’に係合される。この係合状態で、第１、第２、第３、第４係合突部３３０’、３４０’、３５０’、３６０’に第１、第２、第３、第４内壁１１０ａ’、１２０ａ’、１３０ａ’、１４０ａ’によって所定以上の荷重が加えられない限り、第１、第２、第３、第４係合突部３３０’、３４０’、３５０’、３６０’が弾性変形しないため、第１、第２、第３、第４係合突部３３０’、３４０’、３５０’、３６０’と第１、第２、第３、第４係合穴１１１ａ’、１２１ａ’、１３１ａ’、１４１ａ’との係合が維持されるからである。
【００９０】
第２技術的特徴は、所定以上の荷重（引き抜きの力）が係合部３００’にかかったとき、係合部３００’とハウジング１００の挿入穴１００ａ’との係合の解除を容易に行うことができることにある。その理由は以下の通りである。第１、第２、第３、第４係合突部３３０’、３４０’、３５０’、３６０’が第１、第２係合穴１１１ａ’、１２１ａ’１３１ａ’、１４１ａ’に係合された状態で、第１、第２、第３、第４係合突部３３０’、３４０’、３５０’、３６０’に第１、第２、第３、第４内壁１１０ａ’、１２０ａ’、１３０ａ’、１４０ａ’によって所定以上の荷重が加えられる。これにより、第１、第２、第３、第４係合突部３３０’、３４０’、３５０’、３６０’が弾性変形し、第１、第２、第３、第４係合突部３３０’、３４０’、３５０’、３６０’と第１、第２係合穴１１１ａ’、１２１ａ’１３１ａ’、１４１ａ’との係合が解除されるからである。
【００９１】
第３技術的特徴は、係合部３００’を挿入穴１００ａ’から容易に引き抜けることにある。その理由は以下の通りである。係合部３００’が挿入穴１００ａ’から引き抜かれるとき、第１係合突部３３０’が第１内壁１１０ａ’の第１突起１１３ａ’を乗り越え、第１逃げ穴１１２ａ’に挿入され、第２係合突部３４０’が第２内壁１２０ａ’の第２突起１２３ａ’を乗り越え、第２逃げ穴１２２ａ’に挿入され、第３係合突部３５０’が第３内壁１３０ａ’の第３突起１３３ａ’を乗り越え、第３逃げ穴１３２ａ’に挿入される。よって、係合部３００’が挿入穴１００ａ’から引き抜かれるとき、第１、第２、第３係合突部３３０’、３４０’、３５０’が第１、第２、第３内壁１１０ａ’、１２０ａ’、１３０ａ’に押圧される距離が短くなる。
【００９２】
第４技術的特徴は、係合部３００’とハウジング１００の挿入穴１００ａ’との係合を容易に行うことができることにある。その理由は以下の通りである。係合部３００’が挿入穴１００ａ’に挿入されるときに、第１係合突部３３０’が第１逃げ穴１１２ａ’に挿入され、第２係合突部３４０’が第２逃げ穴１２２ａ’に挿入され、第３係合突部３５０’が第３逃げ穴１３２ａに挿入される。よって、係合部３００’が挿入穴１００ａ’に挿入されるときに、第１、第２、第３係合突部３３０’、３４０’、３５０’が第１、第２、第３内壁１１０ａ’、１２０ａ’、１３０ａ’に押圧される距離が短くなる。加えて、第１係合突部３３０’に第１テーパー面３３１’が設けられ、第２係合突部３４０’および本体３１０’の先端部に第２テーパー面３４１’が設けられ、第３係合突部３５０’に第３テーパー面３５１’が設けられ、第４係合突部３６０’に第４テーパー面３６１’が設けられているためである。
【００９３】
第５技術的特徴は、第１、第２、第３、第４係合突部３３０’、３４０’、３５０’、３６０’が第１、第２、第３、第４係合穴１１１ａ’、１２１ａ’１３１ａ’、１４１ａ’に係合された状態が安定することにある。この状態で、係合部３００’の本体３１０’が、第１内壁１１０ａ’の第１突起１１３ａ’および第１段部１１４ａ’と、第２内壁１２０ａ’の第２突起１２３ａ’との間で挟持されると共に、第３内壁１３０ａ’の第３突起１３３ａ’と、第４内壁１４０ａ’の第４段部１４２ａ’との間で挟持されるからである。
【００９４】
なお、上述した電子機器および係合構造は、上記実施例に限定されるものではなく、特許請求の範囲の記載範囲において任意に設計変更することが可能である。以下、詳しく述べる。
【００９５】
本発明の係合部は、第１方向に延びた本体と、前記本体の前記第１方向に交差する第２方向の一方側の第１端部と、前記本体の前記第２方向の他方側の第２端部と、前記第１端部に設けられており且つ所定以上の荷重が加わることによって弾性変形可能な弾性体である第１係合突部と、前記第２端部に設けられており且つ所定以上の荷重が加わることによって弾性変形可能な弾性体である第２係合突部とを有する限り任意に設計変更することが可能である。
【００９６】
例えば、第１、第２係合突部が第１、第２端部の第２方向の対称箇所に設けられた構成とすることが可能である。また、第２係合突部は、その全体が第１係合突部よりも本体の後端側に位置するように、第２端部に設けられた構成とすることが可能である。
【００９７】
本発明の第３、第４係合突部は、実施例１の如く省略可能である。また、本発明の第３係合突部は、係合部の本体の前記第１、第２方向に交差する第３方向の一方側の第３端部に設けられており且つ所定以上の荷重が加わることによって弾性変形可能な弾性体である限り任意に設計変更することが可能である。本発明の第４係合突部は、係合部の本体の前記第３方向の他方側の第４端部に設けられており且つ所定以上の荷重が加わることによって弾性変形可能な弾性体である限り任意に設計変更することが可能である。例えば、第３、第４係合突部が第３、第４端部の第３方向の対称箇所に設けられた構成とすることが可能である。また、第４係合突部は、その全てが第３係合突部よりも本体の後端側に位置するように、第４端部に設けられた構成とすることが可能である。なお、上述した第１、第２、第３および／又は第４テーパー面は省略可能である。第２テーパー面は、第２係合突部にのみ設けることが可能である。
【００９８】
本発明の係合部の本体は、第１、第２係合突部と異なる弾性素材又は非弾性体で構成することが可能である。本発明の係合部の本体がカバー以外の部材に設けられた構成とすることが可能である。また、係合部の本体とカバーとが別素材で構成されるように設計変更することが可能である。係合部の本体とカバーとは別体とすることが可能である。なお、本発明のカバーは省略可能である。本発明のカバーは、収容穴を閉塞し得る限り任意に設計変更することが可能である。
【００９９】
本発明のハウジングは、係合部が第１方向に挿脱可能な挿入穴と、前記挿入穴の前記第２方向の一方側の内壁であって、上記係合部が前記挿入穴に挿脱されるときに上記第１係合突部を押圧可能な第１内壁と、前記挿入穴の前記第２方向の他方側の内壁であって、上記係合部が前記挿入穴に挿脱されるときに上記第２係合突部を押圧可能な第２内壁とを有しており、前記第１内壁は、前記第１係合突部を係合可能な第１係合穴を有し、前記第２内壁は、前記第２係合突部を係合可能な第２係合穴を有している限り任意に設計変更することが可能である。
【０１００】
例えば、第１内壁は、当該第１内壁に設けられた第１係合穴と、当該第１内壁の第１係合穴の第１方向の他方側（挿入穴の開口側）に設けられた第１段部とを有する構成とすることが可能である。また、第１内壁は、当該第１内壁に設けられた第１係合穴と、当該第１内壁の第１係合穴の第１方向の他方側（挿入穴の開口側）に設けられた第１逃げ穴と、第１係合穴と第１逃げ穴との間に設けられた第１突起とを有する構成とすることが可能である。この場合、第１逃げ穴は、第１方向の他方側（挿入穴の開口側）に開放されている。
【０１０１】
第２内壁は、当該第２内壁に設けられた第２係合穴と、当該第２内壁の第２係合穴の第１方向の他方側（挿入穴の開口側）に設けられた第２逃げ穴と、第２係合穴と第２逃げ穴との間に設けられた第２突起と、当該第２内壁の第２逃げ穴の第１方向の他方側（挿入穴の開口側）に設けられた第２段部とを有する構成とすることが可能である。
【０１０２】
第３内壁は、当該第３内壁に設けられた第３係合穴と、当該第３内壁の第３係合穴の第１方向の他方側（挿入穴の開口側）に設けられた第３段部とを有する構成とすることが可能である。また、第３内壁は、当該第３内壁に設けられた第３係合穴と、当該第３内壁の第３係合穴の第３方向の他方側（挿入穴の開口側）に設けられた第３逃げ穴と、第３係合穴と第３逃げ穴との間に設けられた第３突起と、当該第３内壁の第３逃げ穴の第１方向の他方側（挿入穴の開口側）に設けられた第３段部とを有する構成とすることが可能である。
【０１０３】
第４内壁は、当該第４内壁に設けられた第４係合穴と、当該第４内壁の第４係合穴の第１方向の他方側（挿入穴の開口側）に設けられた第４逃げ穴と、第４係合穴と第４逃げ穴との間に設けられた第４突起とを有する構成とすることが可能である。この場合、第４逃げ穴は、第１方向の他方側（挿入穴の開口側）に開放されている。第４内壁は、当該第４内壁に設けられた第４係合穴と、当該第４内壁の第４係合穴の第４方向の他方側（挿入穴の開口側）に設けられた第４逃げ穴と、第４係合穴と第４逃げ穴との間に設けられた第４突起と、当該第４内壁の第４逃げ穴の第１方向の他方側（挿入穴の開口側）に設けられた第４段部とを有する構成とすることが可能である。
【０１０４】
本発明の第１係合穴は、挿入穴の第１内壁に設けられており且つ上述した第１係合突部を係合し得るものである限り任意に設計変更することが可能である。本発明の第２係合穴は、挿入穴の第２内壁に設けられており且つ上述した第２係合突部を係合し得るものである限り任意に設計変更することが可能である。例えば、第１、第２係合突部が、第１、第２端部の第２方向の対称箇所に設けられている場合、第１、第２係合穴は、第１、第２内壁の第２方向の対称箇所に設けられた構成とすることが可能である。第２係合突部は、その全体が第１係合突部よりも本体の後端側に位置するように、挿入穴の第２端部に設けられている場合、第２係合穴は、その全体が第１係合穴よりも挿入穴の開口側に位置するように、挿入穴の第２端部に設けられた構成とすることが可能である。
【０１０５】
本発明の第３、第４係合穴は、実施例１の如く省略可能である。本発明の第３係合穴は、挿入穴の第３内壁に設けられており且つ上述した第３係合突部を係合し得るものである限り任意に設計変更することが可能である。本発明の第４係合穴は、挿入穴の第４内壁に設けられており且つ上述した第４係合突部を係合し得るものである限り任意に設計変更することが可能である。例えば、第３、第４係合突部が、第３、第４端部の第３方向の対称箇所に設けられている場合、第３、第４係合穴は、第３、第４内壁の第３方向の対称箇所に設けられた構成とすることが可能である。第４係合突部は、その全体が第３係合突部よりも本体の後端側に位置するように、挿入穴の第４端部に設けられている場合、第４係合穴は、その全体が第３係合穴よりも挿入穴の開口側に位置するように、挿入穴の第４端部に設けられた構成とすることが可能である。なお、上述した第１、第２、第３および／又は第４突起の傾斜面は、円弧面又は第１方向に対して直角な面等に設計変更することが可能である。上述した係合面は、傾斜面又は円弧面に設計変更することが可能である。
【０１０６】
上述した第１、第２、第３、第４逃げ穴は、第１、第２、第３、第４内壁に設けられており且つ係合部が挿入穴に挿脱されるときに、第１、第２、第３、第４係合突部が挿入され得る限り任意に設計変更することが可能である。また、第１係合突部が第１逃げ穴に挿入されるとき、第２係合突部が第２内壁に押圧されないように設計変更することが可能である。上述した第１、第２、第３、第４突起は、第１、第２、第３、第４内壁に設けられており且つ係合部が挿入穴に挿脱されるときに、第１、第２、第３、第４係合突部を押圧可能である限り任意に設計変更することが可能である。上述した第１、第２、第３、第４段部は、第１、第２、第３、第４内壁に設けられており且つ係合部が挿入穴に挿脱されるときに、第１、第２、第３、第４係合突部を押圧可能に設計変更しても良いし、非接触となるように設計変更しても良い。
【０１０７】
なお、上記実施例における電子機器および係合構造の各構成要素を構成する素材、形状、寸法、数及び配置等はその一例を説明したものであって、同様の機能を実現し得る限り任意に設計変更することが可能である。上述した実施例及び設計変更例は、互いに矛盾しない限り、相互に組み合わせることが可能である。特に、上述した実施例および上述した設計変形例の第１、第２内壁は、任意に組み合わせることが可能である。これに応じて、上述した実施例および上述した設計変形例の第１、第２係合突部も、任意に組み合わせることが可能である。上述した第１、第２、第３方向は任意に設定することが可能である。第２方向は第１方向に交差していれば良く、第３方向は第１、第２方向に交差していれば良い。
【符号の説明】
【０１０８】
１００・・・・・・ハウジング
１００ａ・・・・挿入穴
１１０ａ・・・第１内壁
１１１ａ・・第１係合穴
１１２ａ・・第１逃げ穴
１１３ａ・・第１突起
１１４ａ・・第１段部
１２０ａ・・・第２内壁
１２１ａ・・第２係合穴
１２２ａ・・第２段部
１３０ａ・・・第３内壁
１４０ａ・・・第４内壁
１００ａ’・・・挿入穴
１１０ａ’・・第１内壁
１１１ａ’・第１係合穴
１１２ａ’・第１逃げ穴
１１３ａ’・第１突起
１１４ａ’・第１段部
１２０ａ’・・第２内壁
１２１ａ’・第２係合穴
１２２ａ’・第２逃げ穴
１３３ａ’・第２突起
１３０ａ’・・第３内壁
１３１ａ’・第３係合穴
１３２ａ’・第３逃げ穴
１３３ａ’・第３突起
１４０ａ’・・第４内壁
１４１ａ’・第４係合穴
１４２ａ’・第４段部
２００・・・・・・電子部品
３００・・・・・・係合部
３１０・・・・・本体
３１１・・・・前部
３１２・・・・後部
３２１・・・・・第１端部
３２２・・・・・第２端部
３３０・・・・・第１係合突部
３３１・・・・第１テーパー面
３４０・・・・・第２係合突部
３４１・・・・第２テーパー面
３００’・・・・・係合部
３１０’・・・・本体
３２１’・・・・第１端部
３２２’・・・・第２端部
３２３’・・・・第３端部
３２４’・・・・第４端部
３３０’・・・・第１係合突部
３３１’・・・第１テーパー面
３４０’・・・・第２係合突部
３４１’・・・第２テーパー面
３５０’・・・・第３係合突部
３５１’・・・第３テーパー面
３６０’・・・・第４係合突部
３６１’・・・第４テーパー面
４００・・・・・カバー
【図１Ａ】
2014214781.tif 000003
【図１Ｂ】
2014214781.tif 000004
【図２Ａ】
2014214781.tif 000005
【図２Ｂ】
2014214781.tif 000006
【図３Ａ】
2014214781.tif 000007
【図３Ｂ】
2014214781.tif 000008
【図４】
2014214781.tif 000009
【図５Ａ】
2014214781.tif 000010
【図５Ｂ】
2014214781.tif 000011
【図６Ａ】
2014214781.tif 000012
【図６Ｂ】
2014214781.tif 000013
【図７】
2014214781.tif 000014
【図８Ａ】
2014214781.tif 000015
【図８Ｂ】
2014214781.tif 000016